(57)【特許請求の範囲】
【請求項１】
面外方向他側に第１レール、面外方向一側に第２レールを備えた上枠と、
前記第１レールに沿って閉じ位置と開き位置に亘って面内方向に移動する第１障子と、
前記第２レールに沿って閉じ位置と開き位置に亘って面内方向に移動する第２障子と、
前記上枠に取付けられ、前記第１レールと第２レールを連続する面外方向に斜めの補助レール部を有した第１補助レールと、
前記上枠に取付けられ、前記第１レールと第２レールを連続する面外方向に斜めの補助レール部を有した第２補助レールを備え、
前記第１障子が閉じ位置近くで、その第１障子の面内方向一側部、面外方向他側部が、前記第１補助レールの補助レール部、第２補助レールの補助レール部に沿って第１レールと第２レールに亘ってそれぞれ斜めにガイドされて第１障子は第２レールに沿って閉じ位置に移動し、
前記第１補助レールに案内部材を設け、この案内部材は、弾性材で補助レール部を閉じ、かつ第２障子が第２レールに沿って開き位置に向けて移動することを許容する状態に保持され、第１障子の面内方向一側部が第１レールから第２レールに移動することで案内部材が揺動して補助レール部を開放し、かつ第１障子の面内方向一側部が第２レールに沿って開き位置に向けて移動することを阻止する状態となることを特徴とする引戸。
【発明の詳細な説明】
【０００１】
【発明の属する技術分野】
本発明は、障子を上枠と下枠に沿って移動することで開閉する引戸に関する。
【０００２】
【従来の技術】
特開平８−１２１０１４号公報に示す引戸が提案されている。
この引戸は、面外方向両側上部に第１レール、第２レールを有し、面外方向一側下部に第３レールを有する上枠と、前記第１レールと第２レールに跨り、面内方向に移動する車軸と、この車軸に沿って面外方向に移動する第１障子と、前記第３レールに沿って面内方向に移動する第２障子を備え、第１障子と第２障子を閉じ位置に移動して第１障子を面外方向に移動することで第１障子と第２障子を閉じ位置で面外方向に面一とすることができる。
【０００３】
【発明が解決しようとする課題】
前述の引戸であると、第１障子を面内方向に移動する時や第１障子を開き位置とした時に、その第１障子を誤って車軸に沿って面外方向に移動すると第１障子と第２障子が衝突することがある。
【０００４】
そこで、本発明は前述の課題を解決できるようにした引戸を提供することを目的とする。
【０００５】
【課題を解決するための手段】
本発明は、面外方向他側に第１レール、面外方向一側に第２レールを備えた上枠と、
前記第１レールに沿って閉じ位置と開き位置に亘って面内方向に移動する第１障子と、
前記第２レールに沿って閉じ位置と開き位置に亘って面内方向に移動する第２障子と、
前記上枠に取付けられ、前記第１レールと第２レールを連続する面外方向に斜めの補助レール部を有した第１補助レールと、
前記上枠に取付けられ、前記第１レールと第２レールを連続する面外方向に斜めの補助レール部を有した第２補助レールを備え、
前記第１障子が閉じ位置近くで、その第１障子の面内方向一側部、面外方向他側部が、前記第１補助レールの補助レール部、第２補助レールの補助レール部に沿って第１レールと第２レールに亘ってそれぞれ斜めにガイドされて第１障子は第２レールに沿って閉じ位置に移動し、
前記第１補助レールに案内部材を設け、この案内部材は、弾性材で補助レール部を閉じ、かつ第２障子が第２レールに沿って開き位置に向けて移動することを許容する状態に保持され、第１障子の面内方向一側部が第１レールから第２レールに移動することで案内部材が揺動して補助レール部を開放し、かつ第１障子の面内方向一側部が第２レールに沿って開き位置に向けて移動することを阻止する状態となることを特徴とする引戸である。
【０００６】
【作用】
本発明によれば、第１障子が第１レールに沿って開き位置から閉じ位置に向けて移動して閉じ位置近くになると、第１・第２補助レールの補助レール部に沿って第１障子の面内方向一側部、面内方向他側部が面外方向一側に向けて移動して第２レールに移動し、閉じ位置において第１障子と第２障子が面外方向に略同一位置となる。
これによって、引戸を閉じた時に第１障子と第２障子に面外方向の段差が生じないので、見栄えが良い。
【０００７】
第１障子が閉じ位置近くと開き位置との間を移動する時には第１レールに沿って移動し、第１障子は面外方向に動くことなしに第１レールに沿って面内方向に移動する。
また、第１障子が閉じ位置から第２レールに沿って開き位置に向けて移動することが案内部材で阻止される。
これによって、第１障子を開閉移動する時に誤って第２障子と衝突する恐れがない。
【０００８】
しかも、案内部材は第２障子が開き位置に向けて移動することを許容するので、第２障子を第２レールに沿って閉じ位置と開き位置に亘って移動することができる。
【０００９】
【発明の実施の形態】
図１に示すように、第１障子１は一対の第１戸車２を介して上枠４に吊り下げ支承され、図２に示すように閉じ位置において矢印ｂで示すように面外方向に斜めに移動し、矢印ｃで示すように面内方向に移動する。
第２障子６は一対の第２戸車７を介して上枠４に沿って面内方向に真直ぐに移動自在に吊り下げ支承される。
下枠５には召合せ部障子支持具４０、第１戸当り部障子支持具４１、第２戸当り障子支持具４２がそれぞれ設けてある。
【００１０】
前記召合せ部障子支持具４０は図２に示すように一側支持部４０ａと他側支持具４０ｂを備えている。その他側支持具４０ｂは実線で示す支持位置と２点鎖線で示す解放位置とに亘って面外方向に移動し、この他側支持具４０ｂを支持位置とすることで、第１障子１の召合せ部と第２障子６の召合せ部を閉じ位置において面外方向に動かないように支持する。
【００１１】
前記第１戸当り部障子支持具４１は第１障子１の戸当り部を閉じ位置で面外方向に動かないように支持する。
前記第２戸当り部障子支持具４２は第２障子６の戸当り部を閉じ位置で面外方向に動かないように支承する。
【００１２】
次に各部材の具体形状を説明する。
前記上枠４は図３に示すように、面外方向他側の第１レール１０と面外方向一側の第２レール１１を有し、その第１レール１０、第２レール１１は略下向きコ字形状で、その開口縁内面に横向片１０ａ，１１ａを相対向してそれぞれ有する。この第１レール１０と第２レール１１は同一高さである。
【００１３】
前記第１戸車２は取付部２０と、この取付部２０に縦軸回りに旋回自在に取付けた車輪取付用の縦材２５と、この縦材２５に取付けた一対の車輪２６を備え、その取付部２０は一側プレート２７と他側プレート２８とビス２９で形成され、その他側プレート２８からビス２９を第１障子１を貫通して他側プレート２７に螺合することで第１障子１に固着される。
一対の車輪２６が一対の横向片１１ａ，１１ａに接する。
前記下枠５は図３に示すように、中空部５ａを有する。
【００１４】
前記召合せ部障子支持具４０の一側支持部４０ａは図３と図４に示すように、縦向片４３と横向片４４でＬ字形状で、その横向片４４が下枠５の上面に固着してある。
前記召合せ部障子支持具４０の他側支持部４０ｂは、下枠５の中空部５ａに沿って面外方向に移動する移動子４５と、この移動子４５に連結片４６を介して連結した縦片４７と、この縦片４７の面外方向一側面に一体的に設けた突片４８と、前記移動子４５を面外方向一側位置（支持位置）でロックする錠４９を有する。
前記連結片４６は横片４４の長孔４４ａに沿って摺動する。
【００１５】
このようであるから、錠４９にキーを挿入してロック解除し、移動子４５とともに縦片４７を図３、図４に２点鎖線で示すように面外方向他側に移動することで、第１障子１を実線で示す閉じ位置から一点鎖線で示す面外方向他側位置に斜めに移動可能である。
前述の状態から移動子４５とともに縦片４７を図３、図４に実線で示す支持位置に移動し、錠４９にキーを挿入してロックすることで第１障子１を閉じ位置で面外方向に動かないように支持できる。これによって第１障子１を閉じ位置でロックできる。
【００１６】
前記第１戸当り部障子支持具４１、第２戸当り部障子支持具４２は図４に示すように、第１障子１の戸当り部、第２障子６の戸当り部が嵌まり込む面内方向に向う凹部４１ａ，４２ａを有する。
なお、第１戸当り部障子支持具４１の凹部４１ａは面外方向他側部分が一側部分に比べて浅く、第１障子１が面内方向に移動し易くしてある。
【００１７】
次に第１障子１を閉じ位置近くで面外方向に斜めに移動する部分の構造について説明する。
図１に示すように、上枠４における第１障子１が閉じ位置の時に一方の第１戸車２（召合せ部寄りの第１戸車２）が位置する部分に第１補助レール５０が取付けてあり、他方の第１戸車２（戸当り部寄りの第１戸車２）が位置する部分に第２補助レール６０が取付けてある。
【００１８】
前記第１補助レール５０は図５、図６に示すように、第１ブロック５１と第２ブロック５２を備えている。第１レール１０の面外方向一側の隔壁（縦板）１０ｂと第２レール１１の面外方向他側の隔壁１１ｂが所定の長さに切欠きされている。
この各切欠き部１０ｃ，１１ｃにおいて前記第１ブロック５１と第２ブロック５２が上枠４の上横板４ａにボルト５３でそれぞれ取付けてある。
前記第１ブロック５１は取付部５１ａと下フランジ部５１ｂを備え、その下フランジ部５１ｂが第１・第２レール１０，１１の横向片１０ａ，１１ａと連続している。
前記第２ブロック５２は取付部５２ａと下フランジ部５２ｂを備え、その下フランジ部５２ｂが第１・第２レール１０，１１の横向片１０ａ，１１ａと連続している。
第１ブロック５１と第２ブロック５２は面内方向（上枠長手方向）に離隔し、かつ取付部と下フランジ部の相対向した面５１ｃ，５２ｃは面外方向に斜めの傾斜面で、第１レール１０と第２レール１１を連続する面外方向に斜めの補助レール部５４を形成している。
【００１９】
このようであるから、第１戸車２の車輪２６（第１障子１の面内方向一側部）は補助レール部５４を通って第１レール１０と第２レール１１とに亘って面外方向に斜めに移動する。
【００２０】
前記第２ブロック５２に案内部材５５が縦軸５６で面外方向に揺動自在に取付けてある。
この案内部材５５はコイルスプリング等の弾性材で面外方向他側に向けて揺動付勢されて図６に示すように第１ブロック５１の取付部５０ａの面５１ｃに当接し、補助レール部５４を閉じている。
【００２１】
前記第２補助レール６０は図５、図６に示すように、第１レール１０の前述した隔壁１０ｂと第２レール１１の前述した隔壁１１ｂを所定の長さに切欠きした切欠き部１０ｄ、１１ｅにおいて上枠４の上横板４ａの下面にボルト６１で取付けてある。
この第２補助レール６０は面外方向に斜めになった溝６２を有し、その溝６２の下部に下部フランジ６３を有し、補助レール部６４を形成している。
その補助レール部６４の面外方向他側端部６４ａは第１レール１０と連続して下部フランジ６３が横向片１０ａと連続する。面外方向一側端部６４ｂは行き止りで、かつ第２レール１１と面外方向に同一位置である。
【００２２】
このようであるから、第１障子１の第１戸車２（第１障子１の面内方向他側部）は補助レール部６４に沿って面外方向に斜めに移動する。
【００２３】
前記第２障子６の第２戸車７は前述した第１の実施の形態における第２障子６の第２戸車７と同一である。
【００２４】
次に障子の開閉動作を説明する。
図７（ａ）に示すように第１障子１と第２障子６が閉じ位置の時には、第１障子１の一方の第１戸車２は第２レール１１に接し、他方の戸車２は第２補助レール６０の補助レール部６４の面外方向他側端部６４ｂに位置する。
これによって第１障子１と第２障子６は面外方向に面一である。
案内部材５５は一方の第１戸車２に接して面外方向一側に揺動し、補助レール部５４を開いている。
【００２５】
前述の状態から第１障子１を開き位置に向けて移動すると、一方の第１戸車２が第１補助レール５０の補助レール部５４、他方の第１戸車２が第２補助レール部６０の補助レール部６４に沿ってそれぞれ面外方向一側に向けて斜め（矢印ｂ）に移動し、図７（ｂ）のように各第１戸車２が第１レール１０に接する。
この時、一方の戸車２が第２レール１１に沿って第２障子６側に移動することが案内部材５５で防止されるので、第１障子１と第２障子６が誤って衝突することがない。
第１障子１が第１レール１０側に移動すると案内部材５５は第１補助レール５０の第１ブロック５１に当接する。
【００２６】
前述の状態で第２障子６を第２レール１１に沿って開き位置に向けて移動する時に、第２戸車７が案内部材５５と干渉しないので開き位置に向けて第２レール１１に沿って移動できる。
これにより、第２障子６を図７（ｄ）を示すように開き位置まで移動できる。この時、第１補助レール５０の補助レール部５４は案内部材５５で閉じられているので、第２障子６が第１レール１０側に移動することがない。
【００２７】
前述の実施の形態の引戸は、カーテンウォールの窓部の近くに取付けられて窓部との間に中間空気層を形成し、その中間空気層に空気を流通して室内を換気するように利用される。なお、これ以外にも利用できることは勿論である。
【００２８】
【発明の効果】
請求項１に係る発明によれば、第１障子が第１レールに沿って開き位置から閉じ位置に向けて移動して閉じ位置近くになると、第１・第２補助レールの補助レール部に沿って第１障子の面内方向一側部、面内方向他側部が面外方向一側に向けて移動して第２レールに移動し、閉じ位置において第１障子と第２障子が面外方向に略同一位置となる。
これによって、引戸を閉じた時に第１障子と第２障子に面外方向の段差が生じないので、見栄えが良い。
【００２９】
第１障子が閉じ位置近くと開き位置との間を移動する時には第１レールに沿って移動し、第１障子は面外方向に動くことなしに第１レールに沿って面内方向に移動する。
また、第１障子が閉じ位置から第２レールに沿って開き位置に向けて移動することが案内部材で阻止される。
これによって、第１障子を開閉移動する時に誤って第２障子と衝突する恐れがない。
【００３０】
しかも、案内部材は第２障子が開き位置に向けて移動することを許容するので、第２障子を第２レールに沿って閉じ位置と開き位置に亘って移動することができる。
【図面の簡単な説明】
【図１】  本発明の実施の形態を示す引戸の概略正面図である。
【図２】  第１障子と第２障子の開閉動作を示す概略横断面図である。
【図３】  図１のＥ−Ｅ詳細断面図である。
【図４】  障子支持具の平面図である。
【図５】  上枠の一部破断詳細正面図である。
【図６】  図５のＦ−Ｆ断面図である。
【図７】  障子の開閉動作の詳細説明図である。
【符号の説明】
１…第１障子
２…第１戸車
４…上枠
５…下枠
６…第２障子
７…第２戸車
１０…第１レール
１１…第２レール
５０…第１補助レール
５４…補助レール部
５５…案内部材
６０…第２補助レール
【図１】
0003713661.tif 000002
【図２】
0003713661.tif 000003
【図３】
0003713661.tif 000004
【図４】
0003713661.tif 000005
【図５】
0003713661.tif 000006
【図６】
0003713661.tif 000007
【図７】
0003713661.tif 000008